(57)【要約】【課題】本発明は、冠婚葬祭用として、生花と造花を混ぜて一緒に飾ることができ、しかも出席者に生花および生花用容器をセットでプレゼントすることができる慶弔用容器を提供する。【解決手段】本発明の慶弔用容器は、造花用容器３の内側に生花用容器４を挿入した内外二重容器構造とし、前記造花用容器３と前記生花用容器４との間の空間部には乾燥したオアシス６を充填し、外側の容器と内側の容器との間を造花１で飾り、前記生花用容器４には、水分を含んだオアシス５を充填し、内側の容器を生花２で飾る。【選択図】図１
2010088834.tif 000002
【特許請求の範囲】
【請求項１】
造花用容器の内側に生花用容器を挿入した内外二重容器構造とし、外側の容器と内側の容器との間を造花で飾り、内側の容器を生花で飾ることを特徴とする慶弔用容器。
【請求項２】
前記造花用容器と前記生花用容器との間の空間部には乾燥したオアシスを充填し、造花を飾ったことを特徴とする請求項１記載の慶弔用容器。
【請求項３】
前記造花用容器は、容量の違う生花用容器を固定できる着脱自在の固定構造を備え、前記造花用容器に容量の違う生花用容器を固定できることにより、生花の容量を変更できることを特徴とする請求項１記載の慶弔用容器。
【請求項４】
前記生花用容器には、水分を含んだオアシスを充填し、生花を飾ったことを特徴とする請求項１記載の慶弔用容器。
【発明の詳細な説明】
【技術分野】
【０００１】
本発明は、冠婚葬祭用として、生花と造花を混ぜて一緒に飾ることができる慶弔用容器に関する。
【背景技術】
【０００２】
従来、生花と造花を混合してひとつの容器に飾ることができ、しかも生花の交換が容易にできる、生花の長所と造花の長所を生かすことができる生花・造花装飾具が一般的に知られている（特許文献１を参照）。
この公知技術では、造花の茎を差し込んで固定できると共に、生花の茎を挿通させる茎挿通管が上下に貫通して配置されている造花固定部材が容器の上部に保持され、容器内には造花固定部材の下方に生花の茎が挿し込める吸水性スポンジを配置した生花と造花を飾る生花・造花装飾具である。
【特許文献１】特開２００４−３５０７３９号公報
【発明の開示】
【発明が解決しようとする課題】
【０００３】
本発明は、冠婚葬祭用として、生花と造花を混ぜて一緒に飾ることができ、しかも出席者に生花および生花用の容器をセットでプレゼントすることができる慶弔用容器を提供することを目的とする。
【課題を解決するための手段】
【０００４】
本発明の慶弔用容器は、造花用容器の内側に生花用容器を挿入した内外二重容器構造とし、外側の容器と内側の容器との間を造花で飾り、内側の容器を生花で飾るものである。
前記造花用容器と前記生花用容器との間の空間部には乾燥したオアシスを充填し、造花を飾ったものである。
前記造花用容器は、容量の違う生花用容器を固定できる着脱自在の固定構造を備え、前記造花用容器に容量の違う生花用容器を固定できることにより、生花の容量を変更できるものである。
前記生花用容器には、水分を含んだオアシスを充填し、生花を飾ったものである。
【発明の効果】
【０００５】
本発明の慶弔用容器は、造花用容器の内側に生花用容器を挿入した内外二重容器構造とし、外側の容器と内側の容器との間を造花で飾り、内側の容器を生花で飾るものであるため、生花と造花を混合して一つの容器に飾ることができ、しかも季節に合わせて生花の交換が容易にできる効果がある。
本発明の慶弔用容器は、前記造花用容器と前記生花用容器との間の空間部には乾燥したオアシスを充填し、造花を飾ったものであるため、全体重量が軽量となり運搬が楽になる効果がある。
前記造花用容器は、容量の違う生花用容器を固定できる着脱自在の固定構造を備え、前記造花用容器に容量の違う生花用容器を固定できることにより、生花の容量を変更できるものであるため、多種多様な要望に答えることができ、しかも生花用容器の交換が容易にできる効果がある。
前記生花用容器には、水分を含んだオアシスを充填し、生花を飾ったものであるため、生花を新鮮に保つと共に、出席者に生花および生花用容器をセットでプレゼントすることができる効果がある。
【発明を実施するための最良の形態】
【０００６】
本発明の慶弔用容器の一実施例を添付図面に基づいて、以下に説明する。
図１は本発明の慶弔用容器に生花と造花を飾りつけた状態を示す一部断面斜視図、図２は接合具の（ａ）正面図、（ｂ）平面図、図３は（ａ）生花用容器と接合具との縦断面図、（ｂ）生花用容器の底面図、図４は（ａ）生花用容器と接合具との縦断面図、（ｂ）接合具の平面図、図５は本発明の慶弔用容器の他の実施例の縦断面図、図６は本発明の慶弔用容器の他の実施例Ａの縦断面図、図７は本発明の慶弔用容器の他の実施例Ｂの縦断面図である。
【０００７】
図１に示すように、本発明の慶弔用容器は、造花１と生花２とを組み合わせて一緒に飾った盛籠様であり、外側の造花用容器３の内部に生花用容器４を挿入した内外二重容器構造である。
【０００８】
前記造花用容器３は、水漏れ防止性能を必要としない一般的容器形状であれば十分であり、プラスチック、木材、ガラス、陶器などの材質からなり、例えば蔓（つる）を利用した籠のような材料でも良い。
【０００９】
前記生花用容器４は、水漏れ防止性能をする容器で、プラスチック、木材、ガラス、陶器などの材質からなり、前記造花用容器３の内側に挿入できる大きさに作られる。前記生花用容器４内には水分を含んだオアシス（吸水性スポンジ）５を充填する。
【００１０】
前記造花用容器３と前記生花用容器４との間の空間部には、適宜大きさに切断した乾燥したオアシス（吸水性スポンジ）６を充填し、前記空間部を埋めて造花１の金属線茎を刺して飾ることができるようになっている。
【００１１】
前記造花用容器３の中央底部７には、接合具８の左右ネジ部９が嵌合する螺合孔１０が設けられ、一方、前記生花用容器４の中央底部１１には前記接合具８の左右ネジ部９が嵌合する螺合孔１２が設けられる。
【００１２】
前記接合具８は、図２の（ａ）正面図、（ｂ）平面図に示すように支持板１３の中央に左右ネジ部９が固定され、前記支持板１３を挟んで前記左右ネジ部９の上部が右ネジ１４、下部が左ネジ１５とし、図１に示すように前記右ネジ１４には前記生花用容器４の螺合孔１２が螺合され、前記左ネジ１５には前記造花用容器３の螺合孔１０が螺合される。なお、前記左右ネジ部９は上下の左右ネジが逆の構造であっても良い。なお、前記右ネジ１４の軸心の中央には六角穴１６を形成し、該六角穴１６に六角レンチを嵌合して、ネジ込みに利用する。
【００１３】
前記接合具８の他の実施例として、図３（ａ）生花用容器と接合具の縦断面図、（ｂ）生花用容器の底面図に示すように、支持板１３を挟んで上部が凹凸円筒１７、下部が左ネジ１５とし、前記凹凸円筒１７には前記生花用容器４の円弧爪片１８が係合され、前記左ネジ１５には前記造花用容器３の螺合孔１０が螺合される。
【００１４】
前記接合具８のその他の実施例として、図４（ａ）生花用容器と接合具の縦断面図、（ｂ）接合具の平面図に示すように、支持板１３を挟んで上部が円筒１９、下部が左ネジ１５とし、前記円筒１９には前記生花用容器４の円周直壁２０が係合され、前記左ネジ１５には前記造花用容器３の螺合孔１０が螺合される。
【００１５】
前記接合具８は、図５に示すようにそれぞれ同一の形状構造とし、造花用容器３の底部７の複数個所に設けたり、前記造花用容器３に容量の違う生花用容器４を固定できるようにする。
【００１６】
本発明の慶弔用容器の他の実施例Ａとして、図６に示すように造花用容器３の底部７に上方に凸にしたテーパー部２１を設け、生花用容器４の底部１１に前記テーパー部２１に嵌合する逆テーパー部２２を設けて、両者を嵌合させることもできる。
【００１７】
さらに、本発明の慶弔用容器の他の実施例Ｂとして、図７に示すように造花用容器３の底部７に下方に凹にしたテーパー部２１を設け、生花用容器４の底部１１に前記テーパー部２１に嵌合する逆テーパー部２２を設けて、両者を嵌合させることもできる。
【００１８】
次に、本発明の慶弔用容器の操作動作を添付図面に基づいて、以下に説明する。
図１に示すように、希望する生花の量に応じて生花用容器４を選択し、六角レンチを利用して接合具８の左右ネジ部９を造花用３容器の中央底部７の螺合孔１０に螺合固定する。その後、前記生花用容器４の底部１１の螺合孔１２を左右ネジ部９に螺合させて内外二重構造容器を形成する。
【００１９】
前記造花用容器３と前記生花用容器４との間の空間部には、前記空間部を埋めるように適宜大きさに切断した乾燥したオアシス６を充填し、該オアシス６に多種類の造花１を刺して本発明の慶弔用容器の外側を造花で飾る。
【００２０】
そして、前記生花用容器４には乾燥したオアシス５を充填し、水を注ぎ、水分を含んだオアシス５にし、該オアシス５に一種類又は多種類の生花２を刺して本発明の慶弔用容器の内側を生花で飾る。
【００２１】
冠婚葬祭式が終了したら、本発明の慶弔用容器から前記生花用容器４を取り外し、出席者に持ち帰り用として生花２および生花用容器４をセットでプレゼントする。
【図面の簡単な説明】
【００２２】
【図１】本発明の慶弔用容器に生花と造花を飾りつけた状態を示す一部断面斜視図である。
【図２】接合具の（ａ）正面図、（ｂ）平面図である。
【図３】（ａ）生花用容器と接合具との縦断面図、（ｂ）生花用容器の底面図である。
【図４】（ａ）生花用容器と接合具との縦断面図、（ｂ）接合具の平面図である。
【図５】本発明の慶弔用容器の他の実施例の縦断面図である。
【図６】本発明の慶弔用容器の他の実施例Ａの縦断面図である。
【図７】本発明の慶弔用容器の他の実施例Ｂの縦断面図である。
【符号の説明】
【００２３】
１  造花
２  生花
３  造花用容器
４  生花用容器
５  オアシス（湿潤）
６  オアシス（乾燥）
７  底部
８  接合具
９  左右ネジ部
１０  螺合孔
１１  底部
１２  螺合孔
１３  支持板
１４  右ネジ
１５  左ネジ
１６  六角穴
１７  凹凸円筒
１８  円弧爪片
１９  円筒
２０  円周直壁
２１  テーパー部
２２  逆テーパー部
【図１】
2010088834.tif 000003
【図２】
2010088834.tif 000004
【図３】
2010088834.tif 000005
【図４】
2010088834.tif 000006
【図５】
2010088834.tif 000007
【図６】
2010088834.tif 000008
【図７】
2010088834.tif 000009